(57)【要約】【課題】  流動床ボイラにおいて投入する原料炭の種類を切り替えた際に、スラリの粘度の管理基準を明確なものとすることにより、迅速かつ適切な対応操作を行って安定した操業を図ることができるとともに、オペレータの負担を軽減する。【解決手段】  スラリの粘度を判断するステップ（Ｓ２，Ｓ４）と、スラリの粘度の判断結果に基づいて、スラリの粘度を適切な値に修正するステップと、を含む。スラリの粘度を適切な値に修正するステップでは、スラリの粘度が所定値の範囲を下回った場合に含有水分量を減少させ（Ｓ３）、スラリの粘度が所定値の範囲を上回った場合に含有水分量を増加させる（Ｓ５）ことにより、スラリの粘度を適切な値に修正する。【選択図】  図１
2008157546.tif 000002
【特許請求の範囲】
【請求項１】
流動床ボイラにおいて投入する原料炭の種類を切り替えた際に、スラリの粘度を適切に管理するための方法であって、
スラリの粘度を判断するステップと、
スラリの粘度の判断結果に基づいて、スラリの粘度を適切な値に修正するステップと、を含むことを特徴とする流動床ボイラにおける炭種切替に伴うスラリの粘度管理方法。
【請求項２】
前記スラリの粘度を適切な値に修正するステップは、
スラリの粘度に応じて水分補正を行うことにより、スラリの粘度を適切な値に修正することを特徴とする請求項１に記載の流動床ボイラにおける炭種切替に伴うスラリの粘度管理方法。
【請求項３】
前記スラリの粘度を適切な値に修正するステップは、
スラリの粘度が所定値の範囲を下回った場合に含有水分量を減少させ、スラリの粘度が所定値の範囲を上回った場合に含有水分量を増加させることにより、スラリの粘度を適切な値に修正することを特徴とする請求項２に記載の流動床ボイラにおける炭種切替に伴うスラリの粘度管理方法。
【請求項４】
前記スラリの粘度の所定値Ｖ（Ｐａ・Ｓ）の範囲は、１１０＜Ｖ＜１３０であることを特徴とする請求項３に記載の流動床ボイラにおける炭種切替に伴うスラリの粘度管理方法。
【請求項５】
前記スラリの粘度を適切な値に修正するステップにおいて、水分補正許容値はプラスマイナス１％以内であることを特徴とする請求項１〜４のうちいずれか１項に記載の流動床ボイラにおける炭種切替に伴うスラリの粘度管理方法。
【発明の詳細な説明】
【技術分野】
【０００１】
本発明は、流動床ボイラにおける炭種切替に伴うスラリの粘度管理方法に関し、特に炭種切替に伴いスラリの粘度が変化した場合に、迅速かつ的確な対応操作を行うことにより、流動床ボイラを安定して運転することが可能な技術に関する。
【背景技術】
【０００２】
流動床ボイラの一種である加圧流動床ボイラは、コンプレッサからの燃焼空気でボイラ内を加圧状態に保ちながら、石灰石を流動媒体（ＢＭ：ベッドマテリアル）とする流動層内にＣＷＰ（Coal Water Paste：石炭と石灰石と水とを混ぜた燃料）を投入することにより、ＣＷＰを燃焼させるようにしたボイラである。
【０００３】
従来、このような加圧流動床ボイラを備えた火力発電所等では、環境に対する負荷を極力軽減するとともにエネルギー効率を高めて安定した操業を行うため、複数種類の原料炭を切り替えながら使用している。この際、原料炭の炭種毎に、含水量、発熱量、含有成分等が異なるため、加圧流動床ボイラへ供給される原料炭の炭種に応じて加圧流動床ボイラの運転を適切に管理する必要があった。
【０００４】
このような炭種管理方法として「バンカへの石炭供給方法および装置」（特開平８−２５８９６０号公報：特許文献１）に、異なる種類の石炭を混合させて燃料として使用する場合に、予め混炭ホッパで異なる種類の石炭を混合する工程をなくすことにより、省力化を図るようにした技術が開示されている。
【０００５】
この特許文献１に記載された「バンカへの石炭供給方法および装置」は、バンカユニットに石炭を供給するにあたって、複数系統設けたコンベアからそれぞれ異種類の石炭を予め定めた比率でバンカ別に供給し、各バンカからボイラへ投入する時点で総合的に燃料石炭を所定比率に混合することにより、混炭ホッパで石炭を混合する工程を省略するものである。
【０００６】
【特許文献１】特開平８−２５８９６０号公報
【発明の開示】
【発明が解決しようとする課題】
【０００７】
ところで、加圧流動床ボイラへ供給する炭種が切り替わると、スラリの粘度が変化することが知られている。そして、炭種切替に伴いスラリの粘度が変化した場合には、安定した操業を行うために、スラリの粘度が適切な管理値となるような対応操作を行う必要があった。
【０００８】
従来、スラリの粘度を適切な管理値とするための対応操作に明確な基準はなく、熟練したオペレータの経験と勘に頼っている面があった。すなわち、炭種切替時に安定した操業を行うための監視項目および対応操作がオペレータにより異なることがあった。このようにオペレータ毎に異なった対応操作を行ったとしても、結果的に安定した操業を行うことができるが、さらに一層安定した操業を行うために、明確な基準を定めることが望まれていた。また、明確な基準に基づかずにオペレータの経験と勘に頼って操業を行った場合には、オペレータの監視負担や対応操作負担が増加するという問題があった。
【０００９】
なお、上記特許文献１に記載された「バンカへの石炭供給方法および装置」は、複数の炭種を混合して使用する際の省力化を目的としたものであり、安定操業を行うための明確な基準については何ら言及されていない。
【００１０】
本発明は、上述した事情に鑑み提案されたもので、流動床ボイラにおいて投入する原料炭の種類を切り替えた際に、スラリの粘度の管理基準を明確なものとすることにより、迅速かつ適切な対応操作を行って安定した操業を図ることができるとともに、オペレータの負担を軽減することが可能な流動床ボイラにおける炭種切替に伴うスラリの粘度管理方法を提供することを目的とする。
【課題を解決するための手段】
【００１１】
本発明に係る流動床ボイラにおける炭種切替に伴うスラリの粘度管理方法は、上述した目的を達成するため、以下の特徴点を備えている。
すなわち、本発明に係る流動床ボイラにおける炭種切替に伴うスラリの粘度管理方法は、流動床ボイラにおいて投入する原料炭の種類を切り替えた際に、スラリの粘度を適切に管理するための方法であって、スラリの粘度を判断するステップと、スラリの粘度の判断結果に基づいて、スラリの粘度を適切な値に修正するステップと、を含むことを特徴とするものである。なお、スラリとは、微粉砕機を用いて、粗粉砕機で粉砕された石炭粉に水を混入しながら粉砕された石炭ペーストのことである。
【００１２】
ここで、前記スラリの粘度を適切な値に修正するステップは、スラリの粘度に応じて水分補正を行うことにより、スラリの粘度を適切な値に修正することが好ましい。
【００１３】
また、前記スラリの粘度を適切な値に修正するステップは、スラリの粘度が所定値の範囲を下回った場合に含有水分量を減少させ、スラリの粘度が所定値の範囲を上回った場合に含有水分量を増加させることにより、スラリの粘度を適切な値に修正することが好ましい。
【００１４】
また、前記スラリの粘度の所定値Ｖ（Ｐａ・Ｓ）の範囲は、１１０＜Ｖ＜１３０であることが好ましい。
また、前記スラリの粘度を適切な値に修正するステップにおいて、水分補正許容値はプラスマイナス１％以内であることが好ましい。
【発明の効果】
【００１５】
本発明に係る流動床ボイラにおける炭種切替に伴うスラリの粘度管理方法では、混練機へ供給するスラリの粘度を判断し、この判断結果に基づいてスラリの粘度を適切な値に修正する。具体的には、スラリの粘度が所定値の範囲を下回った場合に含有水分量を減少させ、スラリの粘度が所定値の範囲を上回った場合に含有水分量を増加させることにより、スラリの粘度を適切な値に修正する。これにより、スラリの粘度の管理基準が明確なものとなり、流動床ボイラにおける炭種切替に応じて、迅速かつ適切な対応操作を行って安定した操業を図ることができるとともに、オペレータの負担を軽減することができる。
【発明を実施するための最良の形態】
【００１６】
以下、図面を参照して、本発明に係る流動床ボイラにおける炭種切替に伴うスラリの粘度管理方法の実施形態を説明する。
本発明の実施形態に係る流動床ボイラにおける炭種切替に伴うスラリの粘度管理方法は、例えば、加圧流動床複合発電方式(ＰＦＢＣ：Pressurized Fluidized Bed Combustion)を採用した発電プラントに適用される。
【００１７】
この発電プラントは、コンプレッサからの燃焼空気でボイラ内を加圧状態に保ちながら、石灰石を流動媒体（ＢＭ：ベッドマテリアル）とする流動層内にＣＷＰ（Coal Water Paste：石炭と石灰石と水とを混ぜた燃料）を投入することにより、ＣＷＰを効率よく燃焼させることができる。また、流動媒体に石灰石を採用することにより火炉内で脱硫することができるので、硫黄酸化物（ＳＯｘ）の発生を低く抑えることができる。さらに、流動層燃焼は、燃焼温度が低く抑えられる（約８７０℃）ため、窒素酸化物（ＮＯｘ）の発生を低く抑えることができる。
【００１８】
＜加圧流動床ボイラを備えた発電プラント＞
図２は、本発明の実施形態に係る流動床ボイラにおける炭種切替に伴うスラリの粘度管理方法を適用する発電プラントの概略構成を示す模式図である。
本実施形態に係る流動床ボイラにおける炭種切替に伴うスラリの粘度管理方法を適用する発電プラントは、図２に示すように、２つのボイラ１０，２０を備えており、ボイラ１０，２０の火炉１１，２１内にＣＷＰを投入して燃焼させ、熱交換により発生した蒸気を高圧タービン３１、中圧タービン３２、および低圧タービン３３に導いて各タービンを回転させることにより、発電機４１を駆動して電力を発生させる。低圧タービン３３を回転させた後の蒸気は、復水器５０により復水され、再びボイラ１０，２０内へ導かれる。
【００１９】
また、ボイラ１０，２０内で発生した燃焼ガスをガスタービン３４に導いてガスタービン３４を回転させることにより、発電機４２を駆動して電力を発生させる。さらに、燃焼ガスは、ガスタービン３４に同軸に連結されたコンプレッサ３５を駆動して、燃焼空気をボイラ１０，２０へ供給するようになっている。
【００２０】
ボイラ１０，２０へ燃料を供給する燃料供給系統は、石炭を供給する石炭ホッパ６１と、石炭ホッパ６１から供給される石炭を粗粉砕する粗粉砕機６２と、粗粉砕機６２で粉砕された石炭粉を分級する分級機６３と、分級機６３で分級された石炭粉を中継する中継ホッパ６４と、粗粉砕機６２で粉砕された石炭粉に水を混入しながらさらに粉砕する微粉砕機６５と、石灰石を供給する石灰石ホッパ６６と、水、粗粉砕機６２で粉砕された石炭粉、微粉砕機６５で水を混入しながら粉砕された石炭ペースト、および石灰石を混練する混練機６７と、混練機６７で混練されたＣＷＰを一時貯留する燃料タンク６８と、燃料タンク６８から火炉１１，２１内へＣＷＰを送出する燃料ポンプ６９とを備えている。
【００２１】
２機のボイラ１０，２０は、それぞれ圧力容器１２，２２と、圧力容器１２，２２内に収容された火炉１１，２１とを備えており、火炉１１，２１内には水・蒸気管７１が挿通されている。復水器５０からの水・蒸気管７１は、まずＢ火炉２１内に導かれ、続いてＡ火炉１１内へ導かれて熱交換が行われ、汽水分離器７２へ導かれて蒸気と水とが分離される。汽水分離器７２からの水・蒸気管７１は、Ａ火炉１１、Ｂ火炉２１、Ａ火炉１１の順で引き回された後、高圧タービン３１へ導かれる。
【００２２】
高圧タービン３１は、水・蒸気管７１から供給される蒸気により回転する。高圧タービン３１を回転させた後の蒸気は、再びＢ火炉２１に導かれて再熱され、中圧タービン３２に導かれて中圧タービン３２を回転させ、さらに低圧タービン３３に導かれて低圧タービン３３を回転させる。高圧タービン３１、中圧タービン３２、および低圧タービン３３には、同軸に発電機４１が接続されており、各タービン３１，３２，３３が回転することにより発電機４１が駆動されて発電が行われる。
【００２３】
低圧タービン３３を回転させた蒸気は、復水器５０に導かれて復水される。復水器５０内には、冷却水配管５１が配設されている。この冷却水配管５１には、深層取水した海水が導かれ、この海水は復水器５０内で熱交換を行った後に、再び海中に放流される。
【００２４】
復水器５０の下流側には、復水ポンプ７３、第１給水加熱器７４ａ、第２給水加熱器７４ｂ、第３給水加熱器７４ｃ、脱気器７５、給水ポンプ７６、第５給水加熱器７４ｄ、第６給水加熱器７４ｅが配設されており、復水の加熱および脱気を行うようになっている。また、復水器５０とボイラ１０，２０との間の給水配管７７は、後に詳述する排ガス系統に設けられた２つの排熱回収熱交換器９１，９３を通過し、排ガスとの間で熱交換を行うようになっている。
【００２５】
Ａ火炉１１およびＢ火炉２１の上部には排ガス配管８１が連通接続されており、各火炉１１，２１内で発生した燃焼ガスをガスタービン３４へ供給するようになっている。また、各火炉１１，２１とガスタービン３４との間には、脱硝を行うための無触媒脱硝装置８２ａ，８２ｂ、煤塵を除去するための１次サイクロン８３ａ，８３ｂおよび２次サイクロン８４ａ，８４ｂが配設されている。なお、１次サイクロン８３ａ，８３ｂおよび２次サイクロン８４ａ，８４ｂで収集した煤塵は、灰クーラ８５ａ，８５ｂ，８６ａ，８６ｂを経て灰処理装置へ送出される。
【００２６】
ガスタービン３４には、発電機４２およびコンプレッサ３５が同軸に接続されており、ガスタービン３４が回転することにより、発電機４２を駆動して発電を行うとともに、コンプレッサ３５を駆動して燃焼空気をボイラ１０，２０内へ送り込むようになっている。
コンプレッサ３５には、プラント起動時にコンプレッサ３５を駆動してボイラ１０，２０へ燃焼空気を送るための起動用モータ４３が取り付けられている。
ガスタービン３４を回転させた後の排ガスは、第１の排熱回収熱交換器９１、脱硝を行うための脱硝装置９２、第２の排熱回収熱交換器９３、バグフィルタ９４を経て、煙突９５より大気中へ放散される。
【００２７】
Ａ火炉１１およびＢ火炉２１には、循環するＢＭを一時貯留するためのＢＭタンク１３，２３が連通接続されている。なお、図２に示す例では、ＢＭタンク１３，２３を各ボイラ１０，２０毎に１機ずつ設けているが、ＢＭタンク１３，２３を各ボイラ１０，２０毎に２機ずつ設けてもよい。また、ボイラ１０，２０の上部には非常用温水タンク１４が配設されている。この非常用温水タンク１４は、ボイラ給水系統が停止した際に、ボイラ１０，２０内の残燃料が燃焼することにより水壁管等が損傷することを防止するための装置で、水頭圧によりボイラ１０，２０へ給水するようになっている。
【００２８】
Ａ火炉１１およびＢ火炉２１の下部には、各火炉１１，２１内に析出した塵芥を回収するための塵芥回収管１１１，１２１が接続されており、回収された塵芥は灰クーラ１１２，１２２を経て灰処理装置へ送出される。また、Ａ火炉１１およびＢ火炉２１には、ボイラ１０，２０の起動時等に各火炉１１，２１内を加熱するための軽油が供給されるようになっている。
【００２９】
＜スラリの粘度管理方法＞
次に、本発明の実施形態に係る流動床ボイラにおける炭種切替に伴うスラリの粘度管理方法について説明する。図１は、本発明の実施形態に係る流動床ボイラにおける炭種切替に伴うスラリの粘度管理方法の手順を示すフローチャートである。
【００３０】
図１に示すように、炭種切替に伴って変化するスラリの粘度を管理するには、まず初めにスラリの粘度に関する情報を取得する（Ｓ１）。
そして、スラリの粘度が所定の下限値（例えば１１０Ｐａ・ｓ）を下回っているか否かを判断し（Ｓ２）、スラリの粘度が所定の下限値（例えば１１０Ｐａ・ｓ）を下回っている場合には、スラリの含有水分量を減少させて水分補正を行うことにより、スラリの粘度を適切な値に修正して（Ｓ３）、継続監視を行う。
【００３１】
一方、スラリの粘度が所定の下限値（例えば１１０Ｐａ・ｓ）を下回っていない場合には、スラリの粘度が所定の上限値（例えば１３０Ｐａ・ｓ）を上回っているか否かを判断し（Ｓ４）、スラリの粘度が所定の上限値（例えば１３０Ｐａ・ｓ）を上回っている場合には、スラリの含有水分量を増加させて水分補正を行うことにより、スラリの粘度を適切な値に修正して（Ｓ５）、継続監視を行う。
【００３２】
なお、スラリの粘度Ｖ（Ｐａ・ｓ）が所定の範囲内（例えば１１０＜Ｖ＜１３０）である場合には、適正な運転状態であるため、上述した操作を行うことなく継続監視を行う。
【００３３】
＜監視項目＞
次に、本実施形態における具体的な監視項目について説明する。
本実施形態では、スラリの粘度目標値Ｖ（Ｐａ・ｓ）を１１０＜Ｖ＜１３０の範囲とする。すなわち、スラリの粘度目標値Ｖが下限値を下回った場合には、燃焼効率が低下する。一方、スラリの粘度目標値Ｖが上限値を上回った場合には、ＣＷＰの搬送効率が低下する。
この際、急激な変化によるボイラ運転管理の攪乱を防止するという点で、水分補正許容値はプラスマイナス１％以内であることが好ましい。なお、スラリの粘度に関する値は、例えばサンプリング調査を行うことにより取得することができる。また、上述した監視項目における具体的な数値は一例であり、流動床ボイラの規模や運転状況等に応じて適宜変更して実施できることは勿論である。
【産業上の利用可能性】
【００３４】
本発明に係る流動床ボイラにおける炭種切替に伴うスラリの粘度管理方法は、例えば、発電プラント等に用いる加圧流動床ボイラにおいて炭種を切り替えることによりスラリの粘度が変化した場合に、流動床ボイラを安定して運転する際に使用することができる。
【図面の簡単な説明】
【００３５】
【図１】本発明の実施形態に係る流動床ボイラにおける炭種切替に伴うスラリの粘度管理方法の手順を示すフローチャートである。
【図２】本発明の実施形態に係る流動床ボイラにおける炭種切替に伴うスラリの粘度管理方法を適用する発電プラントの概略構成を示す模式図である。
【符号の説明】
【００３６】
１０，２０  ボイラ
１１，２１  火炉
１２，２２  圧力容器
１３，２３  ＢＭタンク
１４  非常用温水タンク
３１  高圧タービン
３２  中圧タービン
３３  低圧タービン
３４  ガスタービン
３５  コンプレッサ
４１，４２  発電機
４３  起動用モータ
５０  復水器
５１  冷却水配管
６１  石炭ホッパ
６２  粗粉砕機
６３  分級機
６４  中継ホッパ
６５  微粉砕機
６６  石灰石ホッパ
６７  混練機
６８  燃料タンク
６９  燃料ポンプ
７１  水・蒸気管
７２  汽水分離器
７３  復水ポンプ
７４ａ〜７４ｅ  給水加熱器
７５  脱気器
７６  給水ポンプ
７７  給水配管
８１  排ガス配管
８２ａ，８２ｂ  無触媒脱硝装置
８３ａ，８３ｂ  １次サイクロン
８４ａ，８４ｂ  ２次サイクロン
８５ａ，８５ｂ，８６ａ，８６ｂ  灰クーラ
９１，９３  排熱回収熱交換器
９２  脱硝装置
９４  バグフィルタ
９５  煙突
１１１，１２１  塵芥回収管
１１２，１２２  灰クーラ
【図１】
2008157546.tif 000003
【図２】
2008157546.tif 000004